(57)【要約】  本発明は、密封余剰部を含む一面上に電極端子が形成されている電池セルと、前記電池セルの表面に付着して情報を表示するラベル部を含む離型紙カバーと、前記電極端子を介して前記電池セルと連結される保護回路モジュールアセンブリとを含み、前記保護回路モジュールアセンブリは、前記電極端子と電気的に接続する保護回路基板と、前記保護回路基板に形成された外部入出力端子と、前記保護回路基板と前記電池セルとの間に位置する絶縁部材とを含み、前記離型紙カバーは、前記密封余剰部に載置された前記保護回路モジュールアセンブリを囲む電池パックに関する。
2020521306.tif 000002
【特許請求の範囲】
【請求項１】
密封余剰部を含む一面上に電極端子が形成されている電池セルと、
前記電池セルの表面に付着して情報を表示するラベル部を含む離型紙カバーと、
前記電極端子を介して前記電池セルと連結される保護回路モジュールアセンブリと、
を含む電池パックであって、
前記保護回路モジュールアセンブリは、
前記電極端子と電気的に接続する保護回路基板と、
前記保護回路基板に形成された外部入出力端子と、
前記保護回路基板と前記電池セルとの間に位置する絶縁部材と、
を含み、
前記離型紙カバーは、前記密封余剰部に載置された前記保護回路モジュールアセンブリを囲む電池パック。
【請求項２】
前記離型紙カバーは、
前記ラベル部に連結されており、前記保護回路モジュールアセンブリの後面に位置する後面カバーと、
前記後面カバーに連結されており、前記保護回路モジュールアセンブリの上面に位置する上面カバーと、
前記上面カバーに連結されており、前記保護回路モジュールアセンブリの前面に位置する前面カバーと、
前記後面カバーに連結しており、前記保護回路モジュールアセンブリの側面に位置する側面カバーと、
をさらに含む、請求項１に記載の電池パック。
【請求項３】
前記側面カバーは、側面カバー延長部をさらに含み、前記側面カバー延長部は、前記前面カバーに付着している、請求項２に記載の電池パック。
【請求項４】
前記上面カバーは、開口を含み、前記外部入出力端子が前記開口を介して外部に突出している、請求項２又は３に記載の電池パック。
【請求項５】
前記前面カバーには、前記開口から延びた切断部が形成された、請求項４に記載の電池パック。
【請求項６】
前記前面カバーから延びた前面カバー延長部は、前記電池セルの前面に付着している、請求項２〜５のいずれか一項に記載の電池パック。
【請求項７】
前記後面カバー、前記上面カバー、前記前面カバー、および前記側面カバーは、離型紙からなる、請求項２〜６のいずれか一項に記載の電池パック。
【請求項８】
前記離型紙カバーは、前記上面カバー、前記前面カバー、および前記側面カバー上に形成された離型紙をさらに含む、請求項２〜６のいずれか一項に記載の電池パック。
【請求項９】
前記離型紙カバーは、前記前面カバーに形成された離型紙をさらに含む、請求項２〜６のいずれか一項に記載の電池パック。
【請求項１０】
前記離型紙は、紙、ゴム、ポリエチレンテレフタレート、およびポリイミドの中から選択された１つまたはこれらの混合物または混合層からなる、請求項７〜９のいずれか１項に記載の電池パック。
【請求項１１】
前記ラベル部は、情報表示層と粘着層とを含み、前記情報表示層は、ポリエチレンテレフタレートおよびポリイミドのうちの１つまたはこれらの混合物からなる、請求項１〜１０のいずれか一項に記載の電池パック。
【請求項１２】
前記離型紙の厚さは、０．１〜０．３ミリメートルである、請求項７〜９のいずれか１項に記載の電池パック。
【請求項１３】
前記ラベル部の厚さは、０．０１〜０．０５ミリメートルである、請求項１〜１２のいずれか一項に記載の電池パック。
【請求項１４】
前記電池セルは、電極アセンブリが内装されている収納部が形成されており、前記収納部の外周面には、熱融着によるシーリング部が形成されており、前記シーリング部のうち、前記電極端子の位置を基準として両側辺シーリング部は折曲げられており、前記両側辺シーリング部は、前記電池セルの内部方向に１回以上折曲げられて前記収納部に密着している、請求項１〜１３のいずれか一項に記載の電池パック。
【請求項１５】
請求項１〜１４のいずれか一項に記載の電池パックを電源として含むデバイス。
【発明の詳細な説明】
【技術分野】
【０００１】
本出願は、２０１８年１月９日付の韓国特許出願第１０−２０１８−０００２８７６号に基づく優先権の利益を主張し、当該韓国特許出願の文献に開示されたすべての内容は本明細書の一部として含まれる。
【０００２】
本発明は、離型紙カバーを含む電池パックに関する。
【背景技術】
【０００３】
モバイル機器に対する技術開発と需要の増加により、二次電池の需要も急激に増加しており、なかでも、エネルギー密度及び作動電圧が高く、保存及び寿命特性に優れたリチウム二次電池は、各種モバイル機器はもちろん、多様な電子製品のエネルギー源として広く用いられている。
【０００４】
二次電池の構造には、それが用いられるデバイスの種類によって、挿入及び離脱が自由な着脱式構造と、デバイスの内部に埋め込まれる形態の内蔵型構造とがある。例えば、従来のモバイルデバイスに用いられる二次電池は、使用者の必要に応じて電池の挿入及び離脱が可能に構成されるのに対し、一部の携帯電話、タブレットＰＣ、スマートパッドなどのようなデバイスに用いられる二次電池は、内蔵型で構成されたりもする。
【０００５】
このような二次電池としては、リチウム二次電池が多く用いられており、これらの二次電池にはそれが装着されるデバイスと電気的に連結される出力端子と、二次電池の過充電、過電流などの異常な状態を効果的に制御できる保護回路モジュールのような安全素子などを含む。
【０００６】
このような保護回路モジュールは、電極端子との電気的接続を維持しながら、同時に電池セルの他の部分と電気的絶縁状態を維持しなければならない。したがって、保護回路モジュールをはじめとする部材に対して絶縁性テープを付着させ、保護回路モジュールを保護回路モジュールケースに収納し、電池セルケースのシーリング部の一部を折曲げて絶縁性テープを付着させ、印刷情報を電池セルの表面に印刷し、離型紙を除去するなどの、非常に複雑な過程を経るようになる。
【０００７】
このような過程は、電池パックの組立工程を非常に複雑化するとともに製造費用が上昇する問題点がある。また、外部から衝撃が加えられる場合、機械的剛性が低い絶縁性テープの使用によって、保護回路モジュールが破損したり、寸法安定性が顕著に低下するなどの問題点をもたらすこともある。
【０００８】
したがって、このような問題点を根本的に解決できる技術に対する必要性がある。
【発明の概要】
【発明が解決しようとする課題】
【０００９】
本発明は、上記の従来技術の問題点と過去から要請されてきた技術的課題を解決することを目的とする。
【００１０】
本出願の発明者らは、深い研究と多様な実験を繰り返した結果、離型紙カバーを用いて保護回路モジュールアセンブリを囲む構造を形成することによって、離型紙カバーが多数の部品を代替することができ、製造単価を節減し、製造工程を単純化することができることを確認して、本発明を完成するに至った。
【課題を解決するための手段】
【００１１】
このような目的を達成するための、本発明による電池パックは、密封余剰部を含む一面上に電極端子が形成されている電池セルと、前記電池セルの表面に付着して情報を表示するラベル部を含む離型紙カバーと、前記電極端子を介して前記電池セルと連結される保護回路モジュールアセンブリとを含むことができる。
【００１２】
前記保護回路モジュールアセンブリは、前記電極端子と電気的に接続する保護回路基板と、前記保護回路基板に形成された外部入出力端子と、前記保護回路基板と前記電池セルとの間に位置する絶縁部材とを含むことができる。
【００１３】
前記離型紙カバーは、前記密封余剰部に載置された前記保護回路モジュールアセンブリを囲む構造で形成される。
【００１４】
また、前記離型紙カバーは、前記ラベル部に連結されており、前記保護回路モジュールアセンブリの後面に位置する後面カバーと、前記後面カバーに連結されており、前記保護回路モジュールアセンブリの上面に位置する上面カバーと、前記上面カバーに連結されており、前記保護回路モジュールアセンブリの前面に位置する前面カバーと、前記後面カバーに連結されており、前記保護回路モジュールアセンブリの側面に位置する側面カバーとを含むことができる。
【００１５】
前記側面カバーは、側面カバー延長部をさらに含み、前記側面カバー延長部は、前記前面カバーに付着してもよい。
【００１６】
前記上面カバーは、開口を含み、前記外部入出力端子が前記開口を介して外部に突出してもよい。
【００１７】
前記前面カバーには、前記開口から延びた切断部が形成される。
【００１８】
前記前面カバーから延びた前面カバー延長部は、前記電池セルの前面に付着してもよい。
【００１９】
前記後面カバー、前記上面カバー、前記前面カバー、および前記側面カバーは、離型紙からなってもよい。
【００２０】
前記離型紙カバーは、前記上面カバー、前記前面カバー、および前記側面カバー上に離型紙をさらに含んでもよい。
【００２１】
前記離型紙カバーは、前記前面カバーにのみ離型紙をさらに含んでもよい。
【００２２】
前記離型紙は、紙、ゴム、ポリエチレンテレフタレート、およびポリイミドのうちの１つまたはこれらの混合物または混合層からなってもよい。
【００２３】
前記ラベル部は、情報表示層と粘着層とを含み、前記情報表示層は、ポリエチレンテレフタレートおよびポリイミドのうちの１つまたはこれらの混合物または混合層からなってもよい。
【００２４】
前記離型紙の厚さは、０．１〜０．３ミリメートルであってもよい。
【００２５】
前記ラベル部の厚さは、０．０１〜０．０５ミリメートルであってもよい。好ましくは０．０３ミリメートルであってもよい。
【００２６】
前記電池セルは、電極アセンブリが内装されている収納部が形成されており、前記収納部の外周面には、熱融着によるシーリング部が形成されており、前記シーリング部のうち、前記電極端子の位置を基準として両側辺シーリング部は折曲げられている構造で形成される。
【００２７】
前記側辺シーリング部は、前記電池セルの内部方向に１回以上折曲げられて前記収納部に密着してもよい。
【００２８】
本発明による電池パックの製造方法は、電池ケースの収納部に電極アセンブリを内蔵し、前記収納部の外周面を熱融着してシーリング部が形成された電池セルを形成する過程と、前記電池セルの前記電極端子に保護回路モジュールアセンブリを連結し、前記保護回路モジュールアセンブリを密封余剰部に載置させる過程と、前記密封余剰部に載置された前記保護回路モジュールアセンブリを前記離型紙カバーで囲む過程と、前記電極端子が形成されたシーリング部に隣接した両側辺シーリング部を折曲げる過程と、前記離型紙カバーのラベル部に付着した離型紙を除去して前記ラベル部を前記電池セルの表面に付着させる過程とを含むことができる。
【００２９】
前記製造方法は、前記保護回路モジュールアセンブリの側面を前記離型紙カバーの側面カバーで囲み、前記側面カバーを前面カバーに付着させる過程をさらに含んでもよい。
【００３０】
本発明の一実施例によるデバイスは、前述した電池パックを電源として含む。例えば、前記デバイスは、携帯電話、ノートパソコン、スマートパッド、およびビデオカメラのような電子機器、または電池自転車、電気自動車、およびハイブリッド自動車などに装着されるエネルギー源であってもよい。
【図面の簡単な説明】
【００３１】
【図１】本発明の一実施例による電池パックの分解斜視図である。
【図２】図１の離型紙カバーが同一平面上に展開されていることを示す平面図である。
【図３】図２の離型紙カバーが保護回路モジュールアセンブリを囲んでいる電池パックの斜視図である。
【図４】本発明の他の実施例による電池パックの分解斜視図である。
【図５】図４の電池パックにおける前面カバーにのみ離型紙が形成されている電池パックの分解斜視図である。
【発明を実施するための形態】
【００３２】
以下、本発明の実施例による図面を参照して本発明をより詳述するが、本発明の範疇がそれによって限定されるものではない。
【００３３】
図１は、本発明の一実施例による電池パックの分解斜視図である。
【００３４】
図１を参照すれば、電池パック１０は、電池セル１００と、保護回路モジュールアセンブリ２００と、離型紙カバー（release paper cover）３００とを含む。電池セル１００は、密封余剰部１０２を含む一面上に電極端子１０１が形成されている。保護回路モジュールアセンブリ２００は、電池セル１００の電極端子１０１を介して電池セル１００と電気的に接続する保護回路基板２０２と、保護回路基板２０２に形成された外部入出力端子２０１と、保護回路基板２０２と電池セル１００との間に位置する絶縁部材２０３とを含む。後述のように、離型紙カバー３００は、電池セル１００の密封余剰部１０２に載置された保護回路モジュールアセンブリ２００を囲むように構成される。
【００３５】
図２は、図１の離型紙カバーが同一平面上に展開されていることを示す平面図である。
【００３６】
図１および図２を参照すれば、離型紙カバー３００は、ラベル部３０１と、後面カバー３０２と、上面カバー３０３と、前面カバー３０４と、側面カバー３０５とを含む。ラベル部３０１は、電池セル１００の表面に付着して関連情報を表示する。後面カバー３０２は、ラベル部３０１に連結されており、保護回路モジュールアセンブリ２００の後面に位置する。上面カバー３０３は、後面カバー３０２に連結されており、保護回路モジュールアセンブリ２００の上面に位置する。前面カバー３０４は、上面カバー３０３に連結されており、保護回路モジュールアセンブリ２００の前面に位置する。側面カバー３０５は、後面カバー３０２に連結されており、保護回路モジュールアセンブリ２００の側面に位置する。
【００３７】
ラベル部３０１と後面カバー３０２とは、離型紙切取線３０６を境界として区分される。離型紙切取線３０６を境界として下部はラベル部３０１として区別されており、上部は後面カバー３０２として区分される。
【００３８】
ラベル部３０１を電池セル１００の表面に付着させる時、離型紙カバー３００の一方の面全体に付着していた離型紙（release paper）のうち、ラベル部３０１の離型紙は離型紙切取線３０６に沿って除去され、ラベル部３０１を除いた離型紙カバー３００にのみ離型紙が残るようになる。これに関する詳しい説明は後述する。
【００３９】
後面カバー３０２と上面カバー３０３との間には第１折曲線３０７が形成されている。第１折曲線３０７を境界として下部は後面カバー３０２であり、上部は上面カバー３０３である。上面カバー３０３は、第１折曲線３０７を基準として後面カバー３０２に対して垂直に折曲げられる。上面カバー３０３の折曲程度は、保護回路モジュールアセンブリ２００の形状に応じて多様に決定可能である。上面カバー３０３には、外部入出力端子２０１が外部に突出できるように開口３０９が形成されている。
【００４０】
上面カバー３０３と前面カバー３０４との間には第２折曲線３０８が形成されている。第２折曲線３０８を境界として下部は上面カバー３０３であり、上部は前面カバー３０４である。前面カバー３０４は、第２折曲線３０８を基準として上面カバー３０３に対して垂直に折曲げられる。前面カバー３０４の折曲程度は、保護回路モジュールアセンブリ２００の形状に応じて多様に決定可能である。
【００４１】
前面カバー３０４には、上面カバー３０３に形成された開口３０９から始まって、電池セル１００の長手方向に沿って切断部３１０が形成されている。離型紙カバー３００で保護回路モジュールアセンブリ２００を囲む時、外部入出力端子２０１が開口３０９に位置するように切断部３１０を通過することができる。また、前面カバー３０４は、前面カバー３０４から延びた前面カバー延長部３１１をさらに含む。
【００４２】
電池セル１００の幅方向の両端部にそれぞれ対応する、後面カバー３０２の両側には側面カバー３０５が形成されている。側面カバー３０５と後面カバー３０２との間には第３折曲線３１２が形成されており、側面カバー３０５は、第３折曲線３１２を基準として後面カバー３０２に対して垂直に折曲げられる。側面カバー３０５の折曲程度は、保護回路モジュールアセンブリ２００の形状に応じて多様に決定可能である。側面カバー３０５は、第４折曲線３１３をさらに含む。
【００４３】
図３は、図２の離型紙カバーが保護回路モジュールアセンブリを囲んでいる電池パックの斜視図である。
【００４４】
図１〜図３を参照すれば、離型紙カバー３００は、電池セル１００の密封余剰部１０２に載置された保護回路モジュールアセンブリ２００を囲んでいる。
【００４５】
上面カバー３０３は、第１折曲線３０７を基準として後面カバー３０２に対して垂直に折曲げられている。前面カバー３０４は、第２折曲線３０８を基準として上面カバー３０３に対して垂直に折曲げられている。前面カバー３０４から延びた前面カバー延長部３１１には接着剤が塗布されていて、電池セル１００の前面に付着している。ここで、電池セル１００の前面とは、ラベル部３０１が形成されている電池セル１００の一面に対応する面を指す。前面カバー３０４と前面カバー延長部３１１とは、境界線３１５を基準として区分される。
【００４６】
側面カバー３０５は、第３折曲線３１２を基準として後面カバー３０２に対して垂直に折曲げられている。側面カバー３０５は、側面カバー延長部３１４をさらに含み、側面カバー延長部３１４は、第４折曲線３１３から側面カバー３０５を基準として垂直に折曲げられている。第４折曲線３１３から垂直に折曲げられた側面カバー延長部３１４には接着剤が塗布されていて、前面カバー３０４に付着している。
【００４７】
変形実施例として、ラベル部３０１を除いた離型紙カバー３００の全体または一部に接着剤を追加的に塗布して、離型紙カバー３００が保護回路モジュールアセンブリ２００をより強固に囲むようにしてもよい。
【００４８】
また、外部入出力端子２０１は、上面カバー３０３の開口３０９を介して外部に突出している。
【００４９】
このような構造により、電池セル１００の密封余剰部１０２に載置された保護回路モジュールアセンブリ２００は、離型紙カバー３００により絶縁された状態で強固に固定される。つまり、本発明による電池パック１０は、別途の保護回路モジュールアセンブリケースと絶縁テープなどを必要としないので、製造単価を低減することができるだけでなく、離型紙カバー３００のラベル部３０１を電池セル１００の表面に付着させると同時に、保護回路モジュールアセンブリ２００を囲むことができるので、製造工程を単純化することができる。
【００５０】
離型紙カバー３００は、ラベル部３０１を除いてすべてが離型紙からなってもよい。離型紙は、所定の強度および絶縁性を有している限り、特に限定されないが、ポリエチレンテレフタレートおよびポリイミドのうちの１つまたはこれらの混合物で多様に構成される。
【００５１】
離型紙の厚さは、０．１〜０．３ミリメートルに形成される。この時、０．１ミリメートル以下の厚さを有する場合、製造単価を低減することができるが、外部の衝撃から保護回路モジュールアセンブリ２００を保護しにくい場合があり、０．３ミリメートル以上の場合、製造単価が上昇し、製品の体積が増加する問題点があるので、好ましくない。
【００５２】
一例として、離型紙カバー３００の離型紙は、０．２ミリメートルの厚さを有し、ポリイミドで形成されている。ポリイミドで離型紙を構成する場合、０．２ミリメートルの薄い厚さでも十分な強度を維持可能で、保護回路モジュールアセンブリを外部衝撃から保護することができる。また、製造単価を低減することができるだけでなく、電池パックの全体体積を低減し、低減された体積だけ電池セルの容量を増加させることができる。ラベル部３０１の厚さは、０．０１〜０．０５ミリメートルに形成され、好ましくは０．０３ミリメートルに形成される。
【００５３】
ラベル部３０１は、粘着層（図示せず）と情報表示層（図示せず）とを含んでいる。前記情報表示層は、電池セル１００の表面に表示される情報を含んでいる。前記粘着層の一面には離型紙が付着しているが、前記粘着層の一面が電池セル１００の表面に付着する時、前記離型紙は除去される。前記粘着層の一面に対応する他面には前記情報表示層が形成されている。
【００５４】
図１および図３を参照すれば、電池セル１００は、電極アセンブリ（図示せず）が内装されている収納部（図示せず）が形成されており、前記収納部の外周面には、熱融着によるシーリング部１０５が形成されており、シーリング部１０５のうち、電極端子１０１の位置を基準として両側辺シーリング部１０３は折曲げられている。側辺シーリング部１０３は、電池セル１００の側面を覆うように１回以上折曲げられて収納部に密着している。図３に示すように、側辺シーリング部１０３と電極端子１０１が位置するシーリング部とが互いに接する部位に形成されたシーリング部位１０３ａは、密封余剰部１０２が形成された方向に延びていて、保護回路モジュールアセンブリ２００を支持する。
【００５５】
以下、図１〜図３を参照して、本発明による電池パックを製造する方法を説明する。
【００５６】
まず、電池ケースの収納部に電極アセンブリを内蔵し、前記収納部の外周面を熱融着してシーリング部１０５を形成する。そして、電池セル１００の電極端子１０１に保護回路モジュールアセンブリ２００を連結し、保護回路モジュールアセンブリ２００を電池セル１００の密封余剰部１０２に載置させる。そして、密封余剰部１０２に載置された保護回路モジュールアセンブリ２００を離型紙カバー３００で囲む。この時、離型紙カバー３００の前面カバー延長部３１１を電池セル１００の表面に付着させて固定する。また、側面カバー３０５の側面カバー延長部３１４を前面カバー３０４に付着させて固定する。そして、電極端子１０１が形成されたシーリング部１０５に隣接した両側辺シーリング部１０３を折曲げて電池ケースの収納部に密着させる。そして、離型紙カバー３００のラベル部３０１に付着した離型紙を、図２の離型紙切取線３０６に沿って除去し、ラベル部３０１を電池セル１００の表面に付着させて電池パック１０を製造する。
【００５７】
図４は、本発明の他の実施例による電池パックの分解斜視図である。
【００５８】
図４を参照すれば、電池パック１０は、電池セル１００と、保護回路モジュールアセンブリ２００と、離型紙カバー３００とを含む。電池セル１００は、密封余剰部１０２を含む一面上に電極端子１０１が形成されている。保護回路モジュールアセンブリ２００は、電池セル１００の電極端子１０１を介して電池セル１００と電気的に接続する保護回路基板２０２と、保護回路基板２０２に形成された外部入出力端子２０１と、保護回路基板２０２と電池セル１００との間に位置する絶縁部材２０３とを含む。離型紙カバー３００は、電池セル１００の密封余剰部１０２に載置された保護回路モジュールアセンブリ２００を囲むように構成される。
【００５９】
離型紙カバー３００は、ラベル部３０１と、後面カバー３０２と、上面カバー３０３と、前面カバー３０４と、側面カバー３０５とを含む。後面カバー３０２は、ラベル部３０１に連結されており、保護回路モジュールアセンブリ２００の後面に位置する。上面カバー３０３は、後面カバー３０２に連結されており、保護回路モジュールアセンブリ２００の上面に位置する。前面カバー３０４は、上面カバー３０３に連結されており、保護回路モジュールアセンブリ２００の前面に位置する。側面カバー３０５は、後面カバー３０２に連結されており、保護回路モジュールアセンブリ２００の側面に位置する。
【００６０】
また、離型紙カバー３００は、上面カバー３０３、前面カバー３０４、および側面カバー３０５上にそれぞれ形成された離型紙３２０、３２１、３２３を含む。
【００６１】
離型紙３２０、３２１、３２３は、紙、ゴム、ポリエチレンテレフタレート、およびポリイミドのうちの１つまたはこれらの混合物または混合層からなってもよい。このような離型紙３２０、３２１、３２３は、外部衝撃を吸収して外部衝撃から保護回路モジュールアセンブリ２００を保護することができる。
【００６２】
離型紙３２０、３２１、３２３の厚さは、０．１〜０．３ミリメートルに形成される。この時、０．１ミリメートル以下の厚さを有する場合、製造単価を低減することができるが、外部の衝撃から保護回路モジュールアセンブリ２００を保護しにくい場合があり、０．３ミリメートル以上の場合、製造単価が上昇し、製品の体積が増加する問題点があるので、好ましくない。
【００６３】
ラベル部３０１は、情報表示層（図示せず）と粘着層（図示せず）とを含み、前記情報表示層は、ポリエチレンテレフタレートおよびポリイミドのうちの１つまたはこれらの混合物または混合層からなってもよい。
【００６４】
ラベル部３０１の厚さは、０．０１〜０．０５ミリメートルに形成され、好ましくは０．０３ミリメートルである。
【００６５】
図５は、図４の電池パックにおける前面カバーにのみ離型紙が形成されている電池パックの分解斜視図である。
【００６６】
図５を参照すれば、離型紙３２１は、前面カバー３０４にのみ形成されている。
【００６７】
本発明の属する分野における通常の知識を有する者であれば、上記の内容に基づいて本発明の範疇内で多様な応用および変形を行うことが可能であろう。
【産業上の利用可能性】
【００６８】
以上説明したように、本発明による電池パックは、離型紙カバーを用いて保護回路モジュールアセンブリを囲む構造を形成することによって、離型紙カバーが多数の部品を代替可能で製造単価を節減し、製造工程を単純化することができる。
【符号の説明】
【００６９】
１０  電池パック
１００  電池セル
１０１  電極端子
１０２  密封余剰部
１０３  側辺シーリング部、両側辺シーリング部
１０３ａ  シーリング部位
１０５  シーリング部
２００  保護回路モジュールアセンブリ
２０１  外部入出力端子
２０２  保護回路基板
２０３  絶縁部材
３００  離型紙カバー
３０１  ラベル部
３０２  後面カバー
３０３  上面カバー
３０４  前面カバー
３０５  側面カバー
３０６  離型紙切取線
３０７  第１折曲線
３０８  第２折曲線
３０９  開口
３１０  切断部
３１１  前面カバー延長部
３１２  第３折曲線
３１３  第４折曲線
３１４  側面カバー延長部
３１５  境界線
３２０  離型紙
３２１  離型紙
３２３  離型紙
【図１】
2020521306.tif 000003
【図２】
2020521306.tif 000004
【図３】
2020521306.tif 000005
【図４】
2020521306.tif 000006
【図５】
2020521306.tif 000007
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
密封余剰部を含む一面上に電極端子が形成されている電池セルと、
前記電池セルの表面に付着して情報を表示するラベル部を含む離型紙カバーと、
前記電極端子を介して前記電池セルと連結される保護回路モジュールアセンブリと、
を含む電池パックであって、
前記離型紙カバーは、前記密封余剰部に載置された前記保護回路モジュールアセンブリを囲む電池パック。
【請求項２】
前記離型紙カバーは、
前記ラベル部に連結されており、前記保護回路モジュールアセンブリの後面に位置する後面カバーと、
前記後面カバーに連結されており、前記保護回路モジュールアセンブリの上面に位置する上面カバーと、
前記上面カバーに連結されており、前記保護回路モジュールアセンブリの前面に位置する前面カバーと、
前記後面カバーに連結しており、前記保護回路モジュールアセンブリの側面に位置する側面カバーと、
をさらに含む、請求項１に記載の電池パック。
【請求項３】
前記側面カバーは、側面カバー延長部をさらに含み、前記側面カバー延長部は、前記前面カバーに付着している、請求項２に記載の電池パック。
【請求項４】
前記上面カバーは、開口を含み、前記保護回路モジュールアセンブリの外部入出力端子が前記開口を介して外部に突出している、請求項２又は３に記載の電池パック。
【請求項５】
前記前面カバーには、前記開口から延びた切断部が形成された、請求項４に記載の電池パック。
【請求項６】
前記前面カバーから延びた前面カバー延長部は、前記電池セルの前面に付着している、請求項２〜５のいずれか一項に記載の電池パック。
【請求項７】
前記後面カバー、前記上面カバー、前記前面カバー、および前記側面カバーは、離型紙からなる、請求項２〜６のいずれか一項に記載の電池パック。
【請求項８】
前記離型紙カバーは、前記上面カバー、前記前面カバー、および前記側面カバー上に形成された離型紙をさらに含む、請求項２〜６のいずれか一項に記載の電池パック。
【請求項９】
前記離型紙カバーは、前記前面カバーに形成された離型紙をさらに含む、請求項２〜６のいずれか一項に記載の電池パック。
【請求項１０】
前記離型紙は、紙、ゴム、ポリエチレンテレフタレート、およびポリイミドの中から選択された１つまたはこれらの混合物または混合層からなる、請求項７〜９のいずれか１項に記載の電池パック。
【請求項１１】
前記離型紙の厚さは、０．１〜０．３ミリメートルである、請求項７〜１０のいずれか１項に記載の電池パック。
【請求項１２】
前記ラベル部は、情報表示層と粘着層とを含み、前記情報表示層は、ポリエチレンテレフタレートおよびポリイミドのうちの１つまたはこれらの混合物からなる、請求項１〜１１のいずれか一項に記載の電池パック。
【請求項１３】
前記ラベル部の厚さは、０．０１〜０．０５ミリメートルである、請求項１〜１２のいずれか一項に記載の電池パック。
【請求項１４】
前記電池セルは、電極アセンブリが内装されている収納部が形成されており、前記収納部の外周面には、熱融着によるシーリング部が形成されており、前記シーリング部のうち、前記電極端子の位置を基準として両側辺シーリング部は折曲げられており、前記両側辺シーリング部は、前記電池セルの内部方向に１回以上折曲げられて前記収納部に密着している、請求項１〜１３のいずれか一項に記載の電池パック。
【請求項１５】
前記保護回路モジュールアセンブリは、
前記電極端子と電気的に接続する保護回路基板と、
前記保護回路基板に形成された外部入出力端子と、
前記保護回路基板と前記電池セルとの間に位置する絶縁部材と、
を含む、請求項１〜１４のいずれか一項に記載の電池パック。
【請求項１６】
請求項１〜１５のいずれか一項に記載の電池パックを電源として含むデバイス。
【国際調査報告】
2020521306.tif 000008
2020521306.tif 000009
2020521306.tif 000010
2020521306.tif 000011